(57)【要約】      （修正有）【目的】小物類の出し入れ等を短時間に簡便に行なえるリール付きケースを備えたリュックサックを提供する。【構成】左右１対のショルダーベルトを有するリュックサックの少なくとも何れかのショルダーベルトの中に、渦巻きバネを利用して紐を巻き取ることが可能なリール式のホルダー３０を備えると共に、紐にキーやパスを収納可能なケース２０を取付けて構成した。ショルダーベルト及びケースの一方に磁石を、他方に強磁性体を内蔵させて構成してもよい。ショルダーベルト及びケースの双方に磁石を内蔵させて構成してもよい。ケースの周縁から延設された布片内に磁石あるいは強磁性体を内蔵させて構成してもよい。【選択図】図１
0003213550.tif 000002
【実用新案登録請求の範囲】
【請求項１】
左右１対のショルダーベルトを有するリュックサックの少なくとも何れかのショルダーベルトの中に、渦巻きバネを利用して紐を巻き取ることが可能なリール式のホルダーを備えたこと、当該紐にキーやパスを収納可能なケースが取付けられたことを特徴とするリュックサック。
【請求項２】
ショルダーベルト及びケースの一方に磁石を、他方に強磁性体を内蔵させた請求項１に記載のリュックサック。
【請求項３】
ショルダーベルト及びケースの双方に磁石を内蔵させた請求項１に記載のリュックサック。
【請求項４】
ケースの周縁から延設された布片内に磁石あるいは強磁性体を内蔵させた請求項２又は請求項３に記載のリュックサック。
【考案の詳細な説明】
【技術分野】
【０００１】
本考案は、定期券や各種カード類、キーなどを収納可能なリール付きケースを備えたリュックサックに関する
【背景技術】
【０００２】
特許文献１には、ショルダーベルトに着脱可能に小物収納本体を取付けたリュックサックが開示されている。特許文献２には、キーホルダーを備えると共に定期等のカードが収納できるバッグチャームが開示されている。特許文献３には、パスとキーの引き出しを容易に行うことができるリール付きパス・キーケースが開示されている。
【先行技術文献】
【特許文献】
【０００３】
【特許文献１】登録実用新案公報第３０５７１４２号
【特許文献２】登録実用新案公報第３１７１７０４号
【特許文献３】登録実用新案公報第３２０６７０６号
【考案の開示】
【考案が解決しようとする課題】
【０００４】
通勤や通学時に、持ち物を収納するためリュックサックを携行することは普通に行われている。ところが、使用者がリュックサックを背中に背負ってしまうと、荷物を出し入れするにはリュックサックを背中から降ろさなければならず、手間がかかり不便であった。
【０００５】
また、財布や小銭入れ、定期券、各種カード類、キーなど使用頻度が高かったり、または貴重品としての小物類をリュックサック内に収納してしまうと、他の収納物と一緒になって峻別しにくいので、所望の小物類をリュックサック内から探し出すのに時間と手間がかかる。
【０００６】
本考案は上記従来の不都合を解決し、リュックサックのショルダーベルトを利用して、リール付きケースを使用者の前面側においてショルダーベルトの所望位置に引き出し自在に取付けることにより、小物類の出し入れ等を短時間に簡便に行なえるリール付きケースを備えたリュックサックを提供することを目的とする。
【課題を解決するための手段】
【０００７】
上記課題を解決する本考案の構成は、以下の通りである。
【０００８】
（１）  請求項１に記載の考案は、左右１対のショルダーベルトを有するリュックサックの少なくとも何れかのショルダーベルトの中に、渦巻きバネを利用して紐を巻き取ることが可能なリール式のホルダーを備えると共に、当該紐にキーやパスを収納可能なケースを取付けて構成した。
【０００９】
（２）  請求項２に記載の考案は、請求項１に記載のリュックサックにおいて、ショルダーベルト及びケースの一方に磁石を、他方に強磁性体を内蔵させて構成した。
【００１０】
（３）  請求項３に記載の考案は、請求項１に記載のリュックサックにおいて、ショルダーベルト及びケースの双方に磁石を内蔵させて構成した。
【００１１】
（４）  請求項４に記載の考案は、請求項２又は請求項３に記載のリュックサックにおいて、ケースの周縁から延設された布片内に磁石あるいは強磁性体を内蔵させて構成した。
【考案の効果】
【００１２】
上記のように構成される本考案が、如何に作用して課題を解決するかを図面を参照しながら概説する。
【００１３】
図１や図２に示すように本考案にかかるリュックサック１０は、ショルダーベルト１１内にリール式のホルダー３０が内装されている。この内装されたホルダー３０は、うず巻きバネの復元力により引き出された紐３１を自動的に巻き取ることが可能に構成されている。
【００１４】
したがって、通常は図１に示すようにケース２０はショルダーベルト１１に当接する形状に存し、必要時には図２に示すようにケース２０を引き出し、不要になれば紐３１が自動的に巻き戻され、ケース２０は図１に示す位置に復元することになる。かようにして本考案によれば、小物類の出し入れや、定期券・各種カード類の使用を、短時間に簡便に行なえるリール付きケースを備えたリュックサックを提供することが可能となるのである。
【００１５】
さらには請求項２に記載の考案は、ショルダーベルト及びケースの一方に磁石を、他方に強磁性体を内蔵させて構成されており、請求項３に記載の考案は、ショルダーベルト及びケースの双方に磁石を内蔵させて構成されている。
【００１６】
かかる構成によりケース２０とショルダーベルト１１が、磁石と強磁性体あるいは磁石同士の磁力により強固に固定されることになり、しいては、ケース２０が不使用時にショルダーベルト１１から離脱することを抑制することが可能となる。
【００１７】
請求項４に記載の考案では、図３や図４に示すように、ケース２０の周縁から延設された布片２４内に、磁石・強磁性体４０が内蔵されている。これはケース２０内にクレジットカードやＩＣカードなど表面に磁気ストライプが入ったカードが入っている際に、かかるストライプの磁気が破損したり、弱まることを防ぐためである。
【図面の簡単な説明】
【００１８】
【図１】本考案の概略斜視図
【図２】ケースを引き出した状態を示す概略斜視図
【図３】ケースの正面図
【図４】ケースの背面図
【考案を実施するための形態】
【００１９】
以下、好ましい本発明の構成要素の実施形態につき、図面を参照しながら概説する。なお、本発明構成要素の実施形態は、下記の実施形態に何ら限定されることはなく、本発明の技術的範囲に属する限り、種々の形態を採りうる。
【００２０】
リュックサック本体１０は、一般的なリュックサックと同様、上部開口部１２を備えた袋体状をなす。上部開口部１２はリュックサック本体１０の上面から側面にかけて、横方向に設けられており、付設された前後一対のファスナー１４により、開閉自在となっている。
【００２１】
リュックサック本体１０の素材としては、例えば軽量性、強度と共に防水性，防火性を備えたナイロンが用いられるが、ビニロン、ポリエステル、その他の合成繊維織布を用いることも可能である。そして、このような素材を裁断、縫合することにより、例えば略長方形の函型の袋体状に形成してなる。素材は、大部分の箇所において表地と裏地の二重構造とされており、薄手の生地よりなり柔軟性を備え自由に変形可能である。
【００２２】
リュックサック本体１０の背面内部については、表地と裏地間に背あてとして、全体的に図示されない芯材が縫い込まれており、芯材としては、スポンジその他の発泡樹脂が用いられている。
【００２３】
リュックサック本体１０の背面には、ショルダーベルト１１が２本付設されており、このショルダーベルト１１は、左右一対のベルト状をなし、背面上部中央から背面下部左右隅にかけて、上下方向に略ハ字状に取付けられている。そして、このショルダーベルト１１は、長さを長短調節するために主紐部１１Ａ，１１Ａの下端に環状部品１３が取り付けられており、この環状部品１３には長さ調節用の副紐部１１Ｂ，１１Ｂの自由端部が挿通されている。この副紐部１１Ｂ，１１Ｂの自由端側と逆側端部は、リュックサック本体１０の下端部に取り付けられている。
【００２４】
ショルダーベルト１１には図２に示すように、磁石あるいは強磁性体４０が内蔵されている。内蔵位置は、紐３１を巻き戻した際に、磁石あるいは強磁性体４１が内蔵されたケース２０の布片２４がショルダベルト１１に当接する位置近傍である。
【００２５】
リュックサック本体１０の正面下部には、正面ポケット１５が付設されている。
【００２６】
ケース２０はその内部に仕切りを備えた袋体であり、仕切りにより二つの隔離された内部収納空間を備えるものである。それぞれの内部収納空間はファスナ２１，２２により開閉自在となっている。ケース２０の素材としては、リュックサック本体１０と同様の素材、例えばナイロン、ビニロン、ポリエステル、その他の合成繊維織布を用いることが可能である。
【００２７】
図３に示されるケース２０の正面側には、内部収納空間に収納されたものを視認できるように、透明の樹脂シート２３が設けられている。他方で背面側の内部収納空間は主に小銭などを入れることを予定したものである。
【００２８】
図４に示されるように、ケース２０の背面側にはポケット２５が設けられている。ポケット２５の内部下端からはベルト２６が延設されており、ベルト２６の端部にはキーを取り付け可能なリング２７が設けられている。かかる構造ゆえに、キーをポケット２５内に収容することが可能となるものである。
【００２９】
図３、図４に示すように、ケース２０の周縁からは布片２４が延設されている。布片２４はケース２０と同素材より成る二枚の布片をその外周縁において縫合したものであり、その内部には磁石あるいは強磁性体４１が内蔵されている。なお、ショルダーベルト１１に内蔵される磁石あるいは強磁性体４０と、布片２４に内蔵される磁石あるいは強磁性体４１の組み合わせは、一方が強磁性体の場合は他方は磁石となる。
【００３０】
リール式のホルダー３０は、うず巻きバネの復元力により、引き出された紐３１を自動的に巻き取ることが可能に構成されている。具体的には、紐３１を巻き取るドラムと、糸を巻き取る方向にドラムを付勢するうず巻きバネとをケース内に納めることにより構成されるものである。紐３１の一方端は図３や図４に示すように布片２４に取り付けられたリング２４ａに補強部材３１ａを介して取り付けられている。
【符号の説明】
【００３１】
１０・・リュックサック
１１・・ショルダーベルト
１２・・上部開口部
１３・・環状部品
１４・・ファスナー
１５・・正面ポケット
２０・・ケース
２１・・ファスナ
２２・・ファスナ
２３・・樹脂シート
２４・・布片
２４ａ・・リング
２５・・ポケット
２６・・ベルト
２７・・リング
３０・・ホルダー
３１・・紐
３１ａ・・補強部材
４０・・磁石あるいは強磁性体
４１・・磁石あるいは強磁性体
【図１】
0003213550.tif 000003
【図２】
0003213550.tif 000004
【図３】
0003213550.tif 000005
【図４】
0003213550.tif 000006